(57)【特許請求の範囲】
【請求項１】
身体に面する表面及び衣服に面する表面を有するトップシート層を備える吸収性物品に皮膚有益物質を塗布する方法であって、前記吸収性物品が、長手方向の前部分、長手方向の後部分、及び、前記前部分と前記後部分との間に位置する股部分を有し、当該方法は：
結合剤とマイクロカプセルに入った皮膚有益物質とを含む水性のインク組成物を、インライン同期印刷技術によって、前記吸収性物品上に印刷するステップを含んでなり、
前記吸収性物品のそれぞれの層が、衣服に面する表面及び身体に面する表面を有し、前記インク組成物が前記表面のいずれにも塗布され、前記皮膚有益物質が少なくとも部分的に疎水性または親油性の物質もしくは添加剤であって、さらに前記マイクロカプセルの材料が２０℃で水不溶性であることを特徴とする方法。
【請求項２】
前記皮膚有益物質が、前記吸収性物品の表面積の０．１％〜１０％で塗布されることを特徴する請求項１に記載の方法。
【請求項３】
前記吸収性物品の表面上の皮膚有益物質を有するマイクロカプセルの濃度が０．０１ｇ／ｍ２〜１．０ｇ／ｍ２であることを特徴とする請求項１または２に記載の方法。
【請求項４】
前記マイクロカプセルに入った皮膚有益物質が、
−  股部分の長手方向の側縁に沿って、
−  前記股部分の中央領域；
−  前記前部分の中央領域；
−  前記後部分の中央領域；
から選択されるゾーンまたは領域上に印刷されることを特徴とする請求項１〜３のいずれか一項に記載の方法。
【請求項５】
前記インク組成物が、前記トップシート層の身体に面する表面及び衣服に面する表面から選択される表面上に印刷されることを特徴とする請求項１〜４のいずれか一項に記載の方法。
【請求項６】
前記吸収性物品がバックシート層及び中間層をさらに備え、インク組成物が前記中間層上に印刷されることを特徴とする請求項１〜５のいずれか一項に記載の方法。
【請求項７】
前記吸収性物品が、前記吸収性物品の長手方向の各側縁部から延在するウィングをさらに備え、前記マイクロカプセルに入った皮膚有益物質が前記ウィングの領域に印刷されることを特徴とする請求項１〜６のいずれか一項に記載の方法。
【請求項８】
前記インク組成物が、顔料または染料を含むことを特徴とする請求項１〜７のいずれか一項に記載の方法。
【請求項９】
前記マイクロカプセルのサイズが３μｍ〜３０μｍであることを特徴とする請求項１〜８のいずれか一項に記載の方法。
【請求項１０】
前記皮膚有益物質が２０℃で水不溶性であることを特徴とする請求項１〜９のいずれか一項に記載の方法。
【請求項１１】
前記皮膚有益物質が、油、脂肪またはワックスから選択される、或いは、これらのいずれかの混合物または誘導体であることを特徴とする請求項１〜１０のいずれか１項に記載の方法。
【請求項１２】
前記皮膚有益物質が天然源由来であることを特徴とする請求項１〜１１のいずれか一項に記載の方法。
【請求項１３】
前記皮膚有益物質が、植物、ハーブ、果実、種子、香辛料及び油からの抽出物から選択されることを特徴とする請求項１〜１２のいずれか一項に記載の方法。
【請求項１４】
前記吸収性物品が、生理用ナプキン、パンティライナー、失禁パッド、失禁用おむつ、ベルト付きおむつ、または、乳児用おむつから選択されることを特徴とする請求項１〜１３のいずれか一項に記載の方法。
【請求項１５】
身体に面する表面及び衣服に面する表面を有するトップシート層を備える吸収性物品であって、長手方向の前部分、長手方向の後部分、及び、前記前部分と前記後部分との間に位置する股部分を有する吸収性物品において、
当該吸収性物品は、インライン同期印刷技術によって印刷された、結合剤とマイクロカプセルに入った皮膚有益物質とを含む水性のインク組成物を有し、
当該吸収性物品のそれぞれの層が、衣服に面する表面及び身体に面する表面を有し、前記インク組成物が前記表面のいずれにも塗布され、前記皮膚有益物質が少なくとも部分的に疎水性または親油性の物質もしくは添加剤であって、さらに前記マイクロカプセルの材料が２０℃で水不溶性であることを特徴とする吸収性物品。
【発明の詳細な説明】
【技術分野】
【０００１】
本開示は、皮膚有益物質を吸収性物品に塗布する方法に関する。
【背景技術】
【０００２】
生理用ナプキン及びパンティライナーのような吸収性物品は、物品の股部分における吸収性コアの位置のような物品の様々な部分を強調するための着色領域を含むことがある。インクは、物品の組み立ての前または間に、トップシート材料または任意の他の材料または物品の層に印刷することができる。物品の使用者に皮膚状態に有益性をもたらすために、ローションのような局所用添加物を物品に加えることができる。ローションの添加は、連続スプレー法または押出法または印刷法（特許文献１）によって塗布することができる。
【先行技術文献】
【特許文献】
【０００３】
【特許文献１】米国特許公開第２０１１／０２６４０６５号
【発明の概要】
【発明が解決しようとする課題】
【０００４】
吸収性物品に添加剤、特に高コストの皮膚有益物質を塗布する改善された方法が必要とされている。
【課題を解決するための手段】
【０００５】
本発明は、請求項１に記載の方法及び請求項１５に記載の吸収性物品に関し、皮膚有益物質を備える、新しく改良された塗布方法及び物品を提供する。
【０００６】
従って、本方法は、身体に面する表面及び衣服に面する表面を有するトップシート層を備える吸収性物品に皮膚有益物質を塗布する方法であって、長手方向の前部分、長手方向の後部部分、及び、前部分と後部分との間の股部分を有する。この方法は、少なくとも、インライン同期印刷技術を用いて、結合剤及びマイクロカプセルに入った皮膚有益物質を物品上に含む水性インク組成物を印刷するステップを必要とし、皮膚有益物質は、少なくとも部分的に疎水性または親油性である物質または添加物を含み、マイクロカプセルの材料は２０℃で水不溶性である。
【０００７】
従って、吸収性物品は、身体に面する表面及び衣類に面する表面を有するトップシート層を含み、物品は、長手方向の前部分、長手方向の後部分、及び、前部分と後部分との間に位置する股部分を有し、物品は、結合剤とインライン同期印刷技術によって物品の上に印刷されるマイクロカプセルに入った皮膚有益物質とを含む水系インク組成物を有し、皮膚有益物質は、少なくとも部分的に疎水性のまたは親油性の物質または添加剤であり、マイクロカプセルの材料は２０℃で水不溶性である。
【０００８】
皮膚有益物質は、時間及び費用効率が高く、多目的かつ便利な方法で物品に加えられる。必要な機械加工は、より少ないスペースを必要とし、同じ組成物及び１つの工程ステップで、インク及び皮膚有益物質をすべて一緒に加える機械操作が少なくなるため、投資コストがより低くなる。
【０００９】
物質が物品の適切な場所に正確に塗布されるため、皮膚有益物質のコストが低下する。皮膚有益物質は、塗布段階の間にインク組成物から保護される。物品の使用中に物質がマイクロカプセルから徐々に放出されるため、使用者にとっての有益性もまた増加する。従来の塗布方法では、塗布時から物質が露出し、かつ、物質が広い表面積に広がる。
【図面の簡単な説明】
【００１０】
【図１】トップシートに塗布されたマイクロカプセルに入った皮膚有益物質を含むインク組成物を有する生理用ナプキンの上面図である。
【図２】トップシートに塗布されたマイクロカプセルに入った皮膚有益物質を含むインク組成物を有するおむつの平面図である。
【発明を実施するための形態】
【００１１】
本明細書で使用される場合、「皮膚有益物質」は、当業者に、皮膚または粘液の健康状態に影響を及ぼす、改善する、または維持する特性を有することが知られている物質または薬剤である。特に、皮膚有益物質は、芳香剤または香り以外の機能をもたらすであろう。この機能は、血液循環の増加、皮膚の細胞の自然なバランスの維持、または保湿効果の付与、ビタミンの取り込みまたは皮膚または粘液を介する物質の分布などの皮膚の物理的刺激であり得る。この機能は、基材上の物理的変化であり得、これにより、吸収性物品上により皮膚に優しい微気候があり、及び／または吸収性物品上に体液を保持するための障壁などの基材材料の改善された機能を与える。この機能は、知覚される冷却効果または加熱効果などの物理的感覚に至る化学反応であり得る。
【００１２】
物質の皮膚有益な機能は、物品の着用者が皮膚有益物質と皮膚接触または粘液接触すると活性化され得る。
【００１３】
皮膚有益物質は、少なくとも部分的に疎水性のまたは親油性の物質または添加剤である。従って、皮膚有益物質は、疎水性物質と少なくとも部分的に混和性であり得る。皮膚有益物質は、２０℃で水不溶性であり得る。
【００１４】
皮膚有益物質は、油、脂肪またはワックスから選択されてもよく、またはこれらのいずれかの混合物または誘導体であり得る。皮膚有益物質は、天然源由来であり得る。
【００１５】
皮膚有益物質は、植物、ハーブ、果実、種子、香辛料及び油からの抽出物から選択され得る。
【００１６】
皮膚有益物質は、アーモンド油、アルガン油、ゴマ油、ホホバ油、グレープシード油、シアバター、オリーブ油、ヤシ油、アボカド油、リモネン、リナロール、ゲラニオール、シトラールのいずれかの抽出物カブトムシ、カレンデュラ、カモミール、ペパーミント、サンダルウッド、モモ、マンゴー、アプリコット、シーバソーン、コーヒー、チョコレート、メントール、キシリトールから選択される、または、いずれかの抽出物であり得る。
【００１７】
また、皮膚有益物質は、カルバミド、グリセリン、ジメチコン、トコフェリル（ビタミンＥ）、アスコルビン酸（ビタミンＣ）、アラントイン、チモール、サリチレートから選択され得る。
【００１８】
皮膚有益物質は、天然皮膚有益物質の合成同等物であり得る。
【００１９】
本明細書で使用する「吸収性物品」は、生理用ナプキン、パンティライナー、失禁パッド、失禁用おむつ、ベルト付きおむつ、乳児用おむつまたはタンポンから選択される物品を意味する。
【００２０】
インク組成物は、少なくとも結合剤及びマイクロカプセルに入った皮膚有益物質を含む。インク組成物は、皮膚有益物質を有するマイクロカプセルを除いて、当業者に知られている標準的な製剤であり得る。インク組成物は水性である。インク組成物は、着色した顔料または染料を含むか無色であり得る。インクはまた、溶媒、共溶媒及び加工助剤のような当業者に周知の典型的な印刷添加剤を含み得る。溶媒は、とりわけ、アルコール、エステル、アルデヒド及び水を含み得る。結合剤は、ポリマー、樹脂、エマルション及びスチレン、アクリレート、アセテート、アルキル化物、ポリウレタン、ニトロセルロースまたは他のセルロース誘導体、ポリグリコール、ポリビニルブチラート、ポリビニルアルコール、ポリビニルピロリドン及びそれらの誘導体または混合物に基づく混合物であり得る。分散剤、界面活性剤、湿潤助剤、消泡剤、消泡剤、ワックス、シリコーン、粘度調整剤、ｐＨ調節剤、すべり防止剤及び防腐剤のような成分もまた、一つまたは複数のカプセル化された有益な添加剤と一緒にされたインク配合物内に存在し得る。インク組成物中の結合剤は、インクの硬化を確実にすると共に、マイクロカプセルを含むインクを材料上に保持する。
【００２１】
マイクロカプセルのサイズは、少なくとも１μｍ、または少なくとも３μｍ、または少なくとも１０μｍであり、１００μｍ未満、または７０μｍ未満、または３０μｍ未満であり得る。マイクロカプセルのサイズは、１μｍ〜１００μｍ、または１μｍ〜７０μｍ、または３μｍ〜３０μｍであってもよい。
【００２２】
皮膚有益物質は、封入された添加剤を周囲の媒体、すなわち吸収性物品の材料に塗布された際に印刷インクから封入させるマイクロカプセルの形態で添加される。エンクロージャーは、非透過性または半透過性の水不溶性壁によって、または、水不溶性マトリックス内の添加物の組み入れを介して、水系インク中の油などの非相溶性流体を、完全に封入することによって達成され得る。
【００２３】
添加剤のマイクロカプセル化の技術は、化粧品のような他の用途で知られている。そのようなマイクロカプセルを製造する会社の例は、Ｄｅｖａｎ  Ｃｈｅｍｉｃａｌｓ、ベルギー；  Ｅｎｃａｐｓｙｓ、米国；  Ｍｉｃｒｏ  Ｃａｐｓｕｌｅ  Ｔｅｃｈｎｏｌｏｇｉｅｓ、フランス；  Ｒｏｂｅｒｔ  Ｂｌｏｎｄｅｌ、フランスなどである。
【００２４】
マイクロカプセル化は、水中油型エマルジョン中での乳化重合によって行われ、エマルション、分散液または乾燥粉末が生成される。典型的なシェル材料は、ポリマー系、メラミン系、及びシリカ系組成物を含む。マイクロカプセルの材料は、シリコーンポリマーとメラミンポリマーとの複合体であり得る。マイクロカプセルの材料は２０℃で水不溶性である。
【００２５】
皮膚有益物質は、マイクロカプセル化され、エマルション、分散液または粉末としてインク組成物に添加することができる。得られたインク組成物中のマイクロカプセルの濃度及び吸収性物品に塗布されるインク組成物の量は、当業者であれば常套的な実験によって決定し、それぞれの特定の用途のために配合され得る。マイクロカプセルの濃度は、使用される有益な薬剤及び物品の所望の効果に依存する。吸収性物品に塗布されるインクの量は、インクの組成物及び物品上の所望のパターンに依存する。必要とされるインクの量は、表面の吸収性に応じて変わり得る。
【００２６】
物品上のマイクロカプセルの濃度は、少なくとも０．００１ｇ／ｍ２、または少なくとも０．０１ｇ／ｍ２または少なくとも０．１ｇ／ｍ２または少なくとも０．０５ｇ／ｍ２かつ５ｇ／ｍ２未満、または１．０ｇ／ｍ２未満または０．６ｇ／ｍ２未満である。物品上のマイクロカプセルの濃度は、０．００１ｇ／ｍ２〜５ｇ／ｍ２、または０．０１ｇ／ｍ２〜１ｇ／ｍ２または０．０５ｇ／ｍ２〜０．６ｇ／ｍ２であり得る。
【００２７】
皮膚有益物質は、例えば、物品の０．１％〜２５％、０．１％〜１０％、または物品の０．１％〜５％など、物品の面積の０．１％〜４０％に塗布され得る。
【００２８】
皮膚有益物質のマイクロカプセル化の利点は、さもなければインクと非相溶性であり、物質が添加され、マイクロカプセルとして適切に分散させることができることである。更なる利点は、物品の使用中に物質の放出がゆるやかであり、もしあれば、固有の匂いが製造作業中及び棚上で低減されることである。
【００２９】
インク組成物は、吸収性物品上に印刷によって塗布される。本明細書において印刷するとは、基材上にコーティングまたは他の乾燥層を形成するための流体の任意の種類の正確な塗布を意味する。正確には、媒体は、噴霧または押出技術を使用する場合のように、制御されていない方法ではなく、基材上の指定された領域に配置されることを意味する。印刷物は、フレキソ印刷、スクリーン印刷、オフセット印刷、輪転グラビア印刷から選択されるような非接触印刷、或いは、例えば、連続式またはドロップオンデマンド式のデジタルインクジェット、ピエゾによる間欠滴形成、または他のタイプの技術から選択されるような接触印刷であり得る。
【００３０】
指定された領域は、製品上の特定の添加剤の最適な性能を与えるために、インライン同期印刷により、物質が最も効果的であろう、すなわち、製品の最も有益な部分である、皮膚有益物質が正確に配置される製品の機能ゾーンであり得る。
【００３１】
インク組成物はインライン同期印刷技術によって塗布され、インク組成物の正確な配置を可能にする。
【００３２】
インライン同期印刷するステップは、吸収性物品を製造する工程のステップとして組み込まれてもよく、または、製品の組み立て前にインラインで同期印刷されてもよい。
【００３３】
吸収性物品上にインクを塗布した後、インクがほとんど瞬間的に乾燥するように溶媒が蒸発する。しかし、印刷面に熱風を吹きかけるなどの乾燥させるステップが追加され得る。
【００３４】
インク組成物は、所望のように、任意の所望のパターンで選択された領域に塗布され得る。本発明の方法は、非常に正確なパターン及び細い線及びドットを形成することを可能にする。
【００３５】
吸収性物品に配置されたとき、トップシートは身体に面する表面と衣服に面する表面とを有する。インク組成物は、表面の一方または両方に塗布することができる。身体に面する表面上にインク組成物を塗布することにより、使用者は皮膚有益物質への直接的なアクセスを得る。衣類に面する表面にインクを提供することにより、特定の用途に望ましいマイクロカプセルのより遅い活性化及び放出が得られる。また、皮膚有益物質は物品の中間層に塗布されてもよい。
【００３６】
インクの位置に応じて、種々の有利な機能的効果を得ることができる。異なる機能を有するインクのパターンの例を以下に示す。これらのパターンは、個々に使用することができるが、吸収性物品の所望の特性を達成するために、もちろん有利に組み合わされ得る。
【００３７】
インク組成物は、長手方向の側縁の少なくとも一部に沿って１つ以上の液体バリアとして塗布され得、液体バリアは、連続的または点線で形成され得る。さらに、インク組成物のドットのクラスタは、物品の中央部分に塗布され得る。
【００３８】
マイクロカプセルに入った有益物質は、
−  股部分の長手方向の側縁に沿って；
−  股部分の中央領域；
−  前部分の中央領域；
−  後部分の中央領域；
から選択される物品の領域またはゾーンに印刷され得る。
【００３９】
吸収性物品は、物品の各長手方向の側縁部から伸びるウィングをさらに含み、マイクロカプセルに入った皮膚有益物質は、ウィングの領域に印刷され得る。
【００４０】
印刷された領域またはゾーンは、楕円形、円形、月形、ハート形、矢形などを有する領域またはゾーンであり得、独特の機能を与えるために製品の特定の領域に配置され得る。
【００４１】
吸収性物品は、少なくとも、トップシート層と、必要に応じてバックシート層と、トップシートとバックシート層との間に配置された吸収層と、を含む。
【００４２】
吸収性物品の各層は、衣服に面する表面及び身体に面する表面を有し、インクは、いずれかの表面に塗布され得る。インク組成物は、トップシートの下に位置する獲得層などの中間層に添加され得る。
【００４３】
本発明はまた、吸収性物品の上に印刷されたマイクロカプセルに入った皮膚有益物質を含むインク組成物を有する吸収性物品に関する。
【００４４】
吸収性物品は、身体に面する不織布のトップシートシート、不織布または発泡体のフィルムまたはラミネートと、液体不浸透性ポリマーフィルム材料、或いは、フィルム及び不織材料及びパルプを含む吸収層及び／または超吸収性材料及び／または繊維ウェブを備えるラミネート、のバックシートと、を備え得る。
【００４５】
バックシート材料は、通気性でも非通気性でもよい。バックシートは、使用中に使用者から離れて面し、吸収性物品の身体に面するトップシート層とは反対側にある。バックシートの衣類に面する側に、剥離紙またはシングルラップで覆われ得る、締結手段が付けられ得る。
【００４６】
マイクロカプセルの活性化は、カプセルがせん断力または接触時の圧力によって壊れる機械的活性化によって実施され得る。マイクロスフェアは、使用者の動きにより壊れる。いくつのマイクロカプセルが材料のさらに下方に埋没され得るので、すべてのマイクロカプセルが同時に破壊されるわけではないので、物品の使用中に物質の遅く、連続的、かつ、有益な放出になる。従って長時間持続する効果が達成され得る。
【００４７】
例えばカクテルと呼ばれるトップシートの紡糸仕上げの構成成分として添加剤が塗布される場合と比較して、印刷による塗布は、物品の選択された領域に繊細な印刷パターンを正確に配置することを可能にし、不織布業者によって一般的に使用される。メリットをさらに高めるために、プリントはどの製品でもプリントの正確なインライン位置決め（同期）と組み合わされる。これにより、プリントを領域またはゾーン、すなわち製品の特定の機能ゾーンに配置することが可能になる。このようにして、皮膚有益物質は、印刷ゾーンにおいてのみ塗布され、従って、テーラーメイド領域をより少ない量及び可能性にする。また、プリント及びマイクロカプセルに入った皮膚有益物質のインライン同期化は、インク組成物中に顔料または染料を含むことにより、もし皮膚有益物質にあれば染色のマスキングを可能にする。カプセル化された皮膚有益物質は、物品に塗布中及び塗布後のインク組成物中のさらなる成分から十分に保護される。
【００４８】
ここで、図面を参照しながら、開示事項を例示的に説明する。
【００４９】
図１は、衛生ナプキンを示し、図２は、物品のトップシートに印刷によって塗布されたマイクロカプセルに入った皮膚有益物質を含むインク組成物をそれぞれ有するおむつを示す。これらの物品は、長手方向の前部分、長手方向の後部分、及び、これらの間に配置された中央または股部分を有する細長い形状を有する。図１の物品は、物品の各長手方向の側縁から延在するウィングを有する。インク組成物は、インライン同期印刷技術によって領域またはゾーン内の物品に印刷されている。ゾーンは、物品（ａ）のウィング及び側部分、物品（ｂ）の股部分の中心、物品（ｃ）の後部分、及び、物品（ｄ）の前部分の印刷された領域である。インク組成物は、湿潤ゾーン（１）、前部分（２，３，４）、後部分（５，６）、物品（７，８）の長手方向の側部に沿って、及び、ウィング（９）上に印刷される。
【００５０】
１種以上の皮膚有益な添加剤を含む印刷が、製品の異なる層に塗布され得る。トップシートが、上記の例では印刷されているが、中間層、コアまたは獲得層、またはバックシート、接着部分、ラップまたは剥離紙も印刷され得る。同じまたは異なる印刷された有益な添加剤を有する２つ以上の印刷領域が、製品の同じ層及び製品の異なる層で可能である。印刷された有益な領域は、物品の吸収領域の外側または吸収領域の外側に配置され得る。
【００５１】
［実施例］
量は特に明記しない限り重量で示す。
【００５２】
［実施例１］
シアバターの活性物質（Ｎｏ．６５６６、Ｍｉｃｒｏ  Ｃａｐｓｕｌｅ  Ｔｅｃｈｎｏｌｏｇｉｅｓ、フランス）を３５％含む、平均カプセルサイズ１３μｍのマイクロカプセルエマルジョン５７ｇが、室温で３０分間撹拌機により連続的に混合しながら４００ｇのＰａｎｔｏｎｅ  ２９８Ｕ青色インク（Ｋａｐｐａｆｌｅｘ  Ｐ１／１１５８８、Ｋａｐｐ  Ｃｈｅｍｉｅ、ドイツ）に添加された。得られた混合物が、面内重量２０ｇ／ｍ２のスパンボンド不織布のウェブ上にインライン同期フレキソ印刷により３００ｍ／分で塗布され、次いで熱風で乾燥させ、次いでインラインラミネーションがコア及びバックシート材料に施され衛生用パーソナルケア製品を形成し、皮膚有益物質を含む印刷パターンが、最終製品のトップシートの衣服に面する側の前部分及び後部分に配置された。得られた乾燥材料表面上のシアバターの表面濃度は０．２ｇ／ｍ２に相当し、トップシートの表面積の２％をカバーした。
【００５３】
［実施例２］
アーモンド油の活性物質（Ｃａｐｔｅｘ  Ａｍａｎｄｅ  ｄｏｕｃｅｓ  ｎｏ。２０００５、Ｒｏｂｅｒｔ  Ｂｌｏｎｄｅｌ、Ｆｒａｎｃｅ）を４２％含む、平均カプセルサイズ１２μｍのマイクロカプセルエマルジョン２４ｇが、室温で３０分間撹拌機により連続的に混合しながら４００ｇのＰｕｎｔｏｎｅ  ２５０Ｕピンク色インク（Ｋａｐｐａｆｌｅｘ  Ｐ１／１１４７３、Ｋａｐｐ  Ｃｈｅｍｉｅ、ドイツ）に添加された。得られた混合物が、１５ｇ／ｍ２の表面重量を有するＳＭＳ不織布のウェブ上にインライン同期フレキソ印刷により４００ｍ／分で塗布され、次いで熱風で乾燥させ、次いでインラインで衛生用パーソナルケア製品に変換され、マイクロカプセルに入った有益な添加剤を含む印刷パターンが、最終製品のトップシートの身体に面する側の長手方向の側部に沿って配置された。得られた乾燥材料表面上のアーモンド油の表面濃度は０．１ｇ／ｍ２に相当し、トップシートの表面の３％をカバーした。
【００５４】
［実施例３］
メントールの活性物質（Ｎｏ２１５４、Ｍｉｃｒｏ  Ｃａｐｓｕｌｅ  Ｔｅｃｈｎｏｌｏｇｉｅｓ、フランス）を３５％含む、平均カプセルサイズが２２．５μｍのマイクロカプセルエマルジョン１３０．５ｇが、室温で３０分間撹拌機により連続的に混合しながら３００ｇのＰａｎｔｏｎｅ  Ｐ３０５Ｕ青色インク（ＷＮＷＰ−０５−２２００６、Ｓｕｎ  Ｃｈｅｍｉｃａｌ、フランス）に添加された。得られた混合物が、８０ｇ／ｍ２の表面積を有するエアレイド（ＬＤＡ）材料のウェブ上にインライン同期フレキソ印刷により３６０ｍ／分で塗布され、次いで熱風で乾燥させ、次いで、トップシート、コア、及びバックシートをラミネートして、衛生用パーソナルケア製品にインラインで変換され、マイクロカプセルに入った有益な添加剤を含む印刷パターンが、最終製品のコア材料の身体に面する側の中心に配置された。得られた乾燥材料表面上のメントールの表面濃度は０．１５ｇ／ｍ２に相当し、トップシートの表面積の０．５％をカバーした。
【００５５】
［実施例４］
平均カプセルサイズ５μｍのカプセル化されたアロエベラゲル（Ｒ−ｅＳＣＥＮＴｉａｌ  ２５０、Ｄｅｖａｎ  Ｃｈｅｍｉｃａｌｓ、ベルギー）が、室温で２０分間激しく攪拌しながら４２０ｇのＰａｎｔｏｎｅ  ３７６Ｕ緑色インク（Ｋａｐｐａｆｌｅｘ  Ｐ１  ／  １１５５０、Ｋａｐｐ  Ｃｈｅｍｉｅ、ドイツ）に添加された。得られた混合物が、全表面積３１ｇ／ｍ２の穿孔フィルム及び不織布ラミネートのウェブ上にインラインフレキソ印刷により２５０ｍ／分の速度で塗布され、次いで熱風中で乾燥させ、次いでインラインで他の材料と結合され、衛生用パーソナルケア製品に切断、接着及び変換され、マイクロカプセルに入った有益な添加剤を含む印刷されたパターンが、最終製品の不織材料の中心に配置された。得られた乾燥材料表面上のアロエベラの表面濃度は、１．０ｇ／ｍ２に相当し、トップシートの表面積の９％をカバーした。
【００５６】
［実施例５］
グレープシード油の活性物質（Ｎｏ．  ６５６４、Ｍｉｃｒｏ  Ｃａｐｓｕｌｅ  Ｔｅｃｈｎｏｌｏｇｉｅｓ、フランス）を３５％含む、平均カプセルサイズ７．５μｍのマイクロカプセルエマルジョン８５．９ｇが、室温で３０分間撹拌機により連続的に混合しながら４００ｇのＰａｎｔｏｎｅ  ２６６Ｕバイオレットインク（ＷＮＷＰ−０６  −２１９３５、Ｓｕｎ  Ｃｈｅｍｉｃａｌ、フランス）に添加された。得られた混合物が、表面重量が２１ｇ／ｍ２のカーディングされた不織布のウェブ上にインライン同期フレキソ印刷により３００ｍ／分で塗布され、次いで熱風で乾燥され、次いで、トップシート、コア及びバックシートをラミネートし、衛生用パーソナルケア製品にインラインで変換され、マイクロカプセルに入った皮膚有益な添加剤を含む印刷パターンが、最終製品のトップシートの衣服に面する側の前及び後部分に配置された。乾燥材料表面上のグレープシード油の得られた表面濃度は０．５ｇ／ｍ２に相当し、トップシートの表面積の２％をカバーした。
【００５７】
［実施例６］
この製品では、実施例３（メントール）及び実施例５（グレープシード油）のような有益な添加剤を有する２つのインクが、インライン同期フレキソ印刷により３２０ｍ／分で同じウェブの材料に塗布され、これにより、マイクロカプセルに入った皮膚有益な添加剤それぞれを含む印刷パターンが、製品のトップシートの衣類に面する側の前部分及び長手方向の側部分に配置された。得られた乾燥物質表面上のメントール及びグレープシード油の表面濃度は、それぞれ０．１５ｇ／ｍ２及び０．５ｇ／ｍ２に相当し、トップシートの表面積の８％をカバーした。
【符号の説明】
【００５８】
１  湿潤ゾーン
２  前部分
３  前部分
４  前部分
５  後部分
６  後部分
７  物品
８  物品
９  ウィング
【図１】
0006581222.tif 000002
【図２】
0006581222.tif 000003